(57)【要約】  透析装置洗浄システム(１００)は、透析装置(１１０)と、排出流路(１２０)と、三槽式の電解水生成装置(１３０)とを備えている。透析装置(１１０)は、透析液が流れる透析液回路を有している。排出流路(１２０)は、透析装置(１１０)の透析液回路に接続され、透析装置(１１０)で使用された透析液を排出する。電解水生成装置(１３０)は、透析装置(１１０)の透析液回路に直接的または間接的に接続され、酸性水およびアルカリ性水の各々を生成する。電解水生成装置(１３０)から、透析液回路および排出流路(１２０)の各々に、酸性水およびアルカリ性水が交互に洗浄液として流される。
2020145379.tif 000002
【特許請求の範囲】
【請求項１】
透析液が流れる透析液回路を有する透析装置と、
前記透析装置の前記透析液回路に接続され、前記透析装置で使用された前記透析液を排出する排出流路と、
前記透析装置の前記透析液回路に直接的または間接的に接続され、酸性水およびアルカリ性水の各々を生成する三槽式の電解水生成装置とを備え、
前記電解水生成装置から、前記透析液回路および前記排出流路の各々に、前記酸性水および前記アルカリ性水が交互に洗浄液として流される、透析装置洗浄システム。
【請求項２】
前記酸性水のｐＨ値が３．０以上３．７以下である、請求項１に記載の透析装置洗浄システム。
【請求項３】
前記電解水生成装置から、前記透析液回路および前記排出流路の各々に、少なくとも１回は、前記酸性水が流されたあと、前記アルカリ性水が流される、請求項１または請求項２に記載の透析装置洗浄システム。
【請求項４】
前記電解水生成装置に接続され、前記電解水生成装置において生成された前記酸性水および前記アルカリ性水のうち前記洗浄液ではない方の中和用液を排出する中和用配管をさらに備え、
前記中和用配管は、該中和用配管から排出された前記中和用液が、前記排出流路から排出された前記洗浄液と合流するように構成されている、請求項１から請求項３のいずれか１項に記載の透析装置洗浄システム。
【発明の詳細な説明】
【技術分野】
【０００１】
本発明は、透析装置洗浄システムに関する。
【背景技術】
【０００２】
透析装置洗浄システムの構成を開示した先行文献として、特開平７−２８４７４４号公報(特許文献１)がある。特許文献１に記載された透析装置洗浄システムにおいては、アルカリ性電解水と酸性電解水とを、電解水生成器にて生成する。電解水生成器は、いわゆる連続通水式であって、純水を収容する電解槽を有しており、電解槽内は隔膜によって陰極室と陽極室とに区画されている。生成される電解水のｐＨ値は、塩化ナトリウム(ＮａＣｌ)などの電解質の添加量などによって調節される。透析を終了して透析装置の洗浄を行なう場合には、アルカリ性電解水、純水および酸性電解水が中央供給装置に順次送られる。これらの流体は、さらにこの中央供給装置から患者監視装置に送られる。
【先行技術文献】
【特許文献】
【０００３】
【特許文献１】特開平７−２８４７４４号公報
【発明の概要】
【発明が解決しようとする課題】
【０００４】
従来の透析装置洗浄システムにおいては、電解水生成装置の電解槽に、塩化ナトリウムなどの電解質が添加される。電解水生成装置で洗浄液として生成された酸性水またはアルカリ性水に、塩化ナトリウムなどの電解質が含まれている場合、当該洗浄液が配管を腐食させるおそれがある。【０００５】
本発明は上記の問題点に鑑みてなされたものであって、洗浄液による配管の腐食を抑制できる、透析装置洗浄システムを提供することを目的とする。
【課題を解決するための手段】
【０００６】
本発明に基づく透析装置洗浄システムは、透析装置と、排出流路と、三槽式の電解水生成装置とを備えている。透析装置は、透析液が流れる透析液回路を有している。排出流路は、透析装置の透析液回路に接続され、透析装置で使用された透析液を排出する。三槽式の電解水生成装置は、透析装置の透析液回路に直接的または間接的に接続され、酸性水およびアルカリ性水の各々を生成する。透析装置洗浄システムにおいては、電解水生成装置から、透析液回路および排出流路の各々に、酸性水およびアルカリ性水が交互に洗浄液として流される。【０００７】
本発明の一形態においては、酸性水のｐＨ値が３．０以上３．７以下である。
本発明の一形態においては、電解水生成装置から、透析液回路および排出流路の各々に、少なくとも１回は、酸性水が流されたあと、アルカリ性水が流される。【０００８】
本発明の一形態においては、透析装置洗浄システムが、中和用配管をさらに備えている。中和用配管は、電解水生成装置に接続され、電解水生成装置において生成された酸性水およびアルカリ性水のうち洗浄液ではない方の中和用液を排出する。中和用配管は、中和用配管から排出された中和用液が、排出流路から排出された洗浄液と合流するように構成されている。
【発明の効果】
【０００９】
本発明によれば、透析装置洗浄システムにおいて、洗浄液による配管の腐食を抑制することができる。
【図面の簡単な説明】
【００１０】
【図１】本発明の一実施形態に係る透析装置洗浄システムの構成を示す回路図である。
【図２】本発明の一実施形態に係る透析装置洗浄システムにおける、電解水生成装置の構成を示す図である。
【図３】実験例１において、洗浄液が流れる前のシリコーンチューブの状態を示した写真である。
【図４】実験例１において、図３に示したシリコーンチューブに酸性水が流れたあとのシリコーンチューブの状態を示した写真である。
【図５】実験例１において、図４に示した透析液チューブにアルカリ性水が流れたあとのシリコーンチューブの状態を示した写真である。
【図６】実験例１において、図５に示したシリコーンチューブに酸性水が流れたあとのシリコーンチューブの状態を示した写真である。
【図７】実験例１において、図６に示した透析液チューブにアルカリ性水が流れたあとのシリコーンチューブの状態を示した写真である。
【図８】実験例２において、洗浄液が流れる前のシリコーンチューブの状態を示した写真である。
【図９】実験例２において、図８に示したシリコーンチューブにアルカリ性水が流れたあとのシリコーンチューブの状態を示した写真である。
【図１０】実験例２において、図９に示した透析液チューブに酸性水が流れたあとのシリコーンチューブの状態を示した写真である。
【図１１】実験例２において、図１０に示したシリコーンチューブにアルカリ性水が流れたあとのシリコーンチューブの状態を示した写真である。
【図１２】実験例２において、図１１に示した透析液チューブに酸性水が流れたあとのシリコーンチューブの状態を示した写真である。
【発明を実施するための形態】
【００１１】
以下、本発明の一実施形態に係る透析装置洗浄システムについて図面を参照して説明する。以下の実施形態の説明においては、図中の同一または相当部分には同一符号を付して、その説明は繰り返さない。
【００１２】
図１は、本発明の一実施形態に係る透析装置洗浄システムの構成を示す回路図である。図１においては、洗浄実施時における流体の流れを、回路に沿って延びる矢印で示している。
【００１３】
図１に示すように、本発明の一実施形態に係る透析装置洗浄システム１００は、透析装置１１０と、排出流路１２０と、三槽式の電解水生成装置１３０と、中和用配管１４０とを備えている。なお、中和用配管１４０は、必ずしも設けられていなくてもよい。
【００１４】
透析装置１１０は、透析液が流れる透析液回路を有している。本実施形態において、透析液回路は、主にシリコーンチューブで構成されている。透析液には炭酸カルシウムが含まれているため、透析装置１１０を長時間稼働させると、透析液回路の内面に、炭酸カルシウムが付着する。
【００１５】
本実施形態において、透析装置１１０の透析液回路には、透析液調製装置１１１が接続されている。透析装置１１０による透析を実施する際に、透析液調製装置１１１は、透析液を透析装置１１０に供給する。透析装置１１０の透析液回路および透析液調製装置１１１は、透析液供給流路１１２を介して互いに接続されている。
【００１６】
本実施形態において、透析液供給流路１１２は、ＰＦＡ(Perfluoroalkoxy  alkane)などの合成樹脂製の配管で構成されている。透析装置１１０を長時間稼働させると、透析液供給流路１１２の内面に、炭酸カルシウムが付着する。
【００１７】
図１に示すように、本実施形態においては、透析装置洗浄システム１００が、複数の透析装置１１０を備えている。ただし、透析装置洗浄システム１００は、１つの透析装置１１０のみを備えていてもよい。
【００１８】
複数の透析装置１１０の各々は、複数の透析装置１１０と１対１で対応する複数の分岐流路１１２ｘの各々を介して、透析液供給流路１１２と互いに接続されている。複数の分岐流路１１２ｘの各々は、合成樹脂製の配管で構成されている。透析装置１１０を長時間稼働させると、複数の分岐流路１１２ｘの各々の内面に、炭酸カルシウムが付着する。
【００１９】
透析液調製装置１１１には、透析液調製装置１１１に第１原液を供給する第１原液タンク１１３ａが接続されている。透析液調製装置１１１には、透析液調製装置１１１に第２原液を供給する第２原液タンク１１３ｂが接続されている。透析液調製装置１１１には、透析液調製装置１１１に原料水を供給する第１流水路１１４が接続されている。
【００２０】
透析液調製装置１１１において、第１原液、第２原液および原料水が混合されることにより、透析液が調製される。第１原液は、たとえば、カルシウム塩、マグネシウム塩、カリウム塩、ナトリウム塩およびブドウ糖などが水に溶解することにより調製された液体製剤である。第２原液は、炭酸水素ナトリウムなどが水に溶解することにより調製された液体製剤である。本実施形態において、原料水は逆浸透水である。
【００２１】
第１原液タンク１１３ａは、第１原液供給流路１１５ａを介して透析液調製装置１１１と互いに接続されている。第１原液供給流路１１５ａには、第１原液が流れる。
【００２２】
第１原液タンク１１３ａには、原料水を供給する第２流水路１１６ａが接続されている。第１原液タンク１１３ａにおいて、原料水に粉末製剤が溶解することにより、第１原液が調製される。
【００２３】
第２原液タンク１１３ｂは、第２原液供給流路１１５ｂを介して透析液調製装置１１１と互いに接続されている。第２原液供給流路１１５ｂには、第２原液が流れる。
【００２４】
第２原液タンク１１３ｂには、原料水を供給する第３流水路１１６ｂが接続されている。第２原液タンク１１３ｂにおいて、原料水に粉末製剤が溶解することにより、第２原液が調製される。
【００２５】
排出流路１２０は、透析装置１１０の透析液回路に接続され、透析装置１１０で使用された透析液を排出する。透析装置１１０を長時間稼働させると、排出流路１２０の内面には、バイオフィルム、並びに、使用された透析液に含まれる蛋白および炭酸カルシウムなどが付着する。
【００２６】
本実施形態において、透析装置洗浄システム１００は、複数の排出流路１２０を備えている。複数の排出流路１２０は、複数の透析装置１１０に１対１で対応している。本実施形態において、排出流路１２０は、合成樹脂製の配管で構成されている。
【００２７】
図１に示すように、本実施形態において、電解水生成装置１３０は、洗浄用配管１５０と、第１配管１５１と、第１流水路１１４とを介して、透析液調製装置１１１と互いに接続されている。
【００２８】
第１配管１５１は洗浄用配管１５０から分岐している。第１配管１５１の下流側は、第１流水路１１４と互いに接続されている。
【００２９】
このように、本実施形態において、電解水生成装置１３０は、透析装置１１０の透析液回路に間接的に接続されている。すなわち、電解水生成装置１３０は、洗浄用配管１５０、第１配管１５１、第１流水路１１４、透析液調製装置１１１、透析液供給流路１１２および分岐流路１１２ｘを介して、透析装置１１０に接続されている。
【００３０】
なお、電解水生成装置１３０は、透析装置１１０の透析液回路に直接的に接続されてもよい。たとえば、透析装置洗浄システム１００において透析液調製装置１１１が設けられておらず、透析装置１１０の透析液回路が透析液を調製する調製部を有している場合には、電解水生成装置１３０は、透析装置１１０の透析液回路に直接的に接続される。
【００３１】
本実施形態において、電解水生成装置１３０は、洗浄用配管１５０と、第２配管１５２ａと、第２流水路１１６ａとを介して、第１原液タンク１１３ａと互いに接続されている。
【００３２】
第２配管１５２ａは、洗浄用配管１５０から分岐している。第２配管１５２ａの下流側は、第２流水路１１６ａと互いに接続されている。なお、電解水生成装置１３０と第１原液タンク１１３ａとの接続態様は、上記の構成に限定されない。
【００３３】
本実施形態において、電解水生成装置１３０は、洗浄用配管１５０と、第３配管１５２ｂと、第３流水路１１６ｂとを介して、第２原液タンク１１３ｂと互いに接続されている。
【００３４】
第３配管１５２ｂは、洗浄用配管１５０から分岐している。第３配管１５２ｂの下流側は、第３流水路１１６ｂと互いに接続されている。なお、電解水生成装置１３０と第２原液タンク１１３ｂとの接続態様は、上記の構成に限定されない。
【００３５】
透析液調製装置１１１、第１原液タンク１１３ａおよび第２原液タンク１１３ｂには、それぞれ、排液専用流路１１７、第１原液排液専用流路１１８ａおよび第２原液排液専用流路１１８ｂが接続されている。
【００３６】
透析液調製装置１１１内において、透析液の濃度に異常が発生した場合、または、透析液が透析液調製装置１１１内に長時間貯留されていた場合には、透析液調製装置１１１内に貯留されている透析液が、排液専用流路１１７に排出される。なお、透析実施時および後述する洗浄を実施する際は、排液専用流路１１７に透析液または洗浄液が流れていなくてもよい。
【００３７】
第１原液タンク１１３ａ内において、第１原液の濃度に異常が発生した場合、または、第１原液が第１原液タンク１１３ａ内に長時間貯留されていた場合には、第１原液タンク１１３ａ内に貯留されている第１原液が、第１原液排液専用流路１１８ａへ排出される。なお、透析実施時および後述する洗浄を実施する際は、第１原液排液専用流路１１８ａに透析液または洗浄液が流れていなくてもよい。
【００３８】
第２原液タンク１１３ｂ内において、第２原液の濃度に異常が発生した場合、または、第２原液が第２原液タンク１１３ｂ内に長時間貯留されていた場合には、第２原液タンク１１３ｂ内に貯留されている第２原液が、第２原液排液専用流路１１８ｂへ排出される。なお、透析実施時および後述する洗浄を実施する際は、第２原液排液専用流路１１８ｂに透析液または洗浄液が流れていなくてもよい。
【００３９】
本実施形態において、電解水生成装置１３０は、三層式である。図２は、本発明の一実施形態に係る透析装置洗浄システムにおける、電解水生成装置の構成を示す図である。図２に示すように、電解水生成装置１３０は、中央室１３１と、第１生成室１３２と、第２生成室１３３とを含んでいる。
【００４０】
中央室１３１と、第１生成室１３２とは、第１イオン交換膜１３２ａで仕切られている。中央室１３１と、第２生成室１３３とは、第２イオン交換膜１３３ａで仕切られている。第１イオン交換膜１３２ａおよび第２イオン交換膜１３３ａは、互いに対向するように延在している。
【００４１】
第１イオン交換膜１３２ａおよび第２イオン交換膜１３３ａの各々の延在方向における中央室１３１の両端部が、循環流路１３４と互いに接続されることにより、環状流路が構成されている。中央室１３１および循環流路１３４で構成される環状流路には、塩化ナトリウム水溶液が充填されている。塩化ナトリウム水溶液は、当該環状流路において一方向に流れている。
【００４２】
第１生成室１３２および第２生成室１３３の各々には、原料水を供給する第１流水路１１４が接続されている。第１生成室１３２には、洗浄用配管１５０が接続されている。第２生成室１３３には、中和用配管１４０が接続されている。
【００４３】
第１イオン交換膜１３２ａには、第１絶縁部１３２ｂが設けられている。第１絶縁部１３２ｂには、第１背面電極１３２ｃが設けられている。
【００４４】
第１背面電極１３２ｃは、第１生成室１３２内に位置するように配置されている。第１背面電極１３２ｃは、第１イオン交換膜１３２ａ近傍に設けられる。
【００４５】
第２イオン交換膜１３３ａには、第２絶縁部１３３ｂが設けられている。第２絶縁部１３３ｂには、第２背面電極１３３ｃが設けられている。
【００４６】
第２背面電極１３３ｃは、第２生成室１３３内に位置するように配置されている。第２背面電極１３３ｃは、第２イオン交換膜１３３ａ近傍に設けられている。
【００４７】
第１背面電極１３２ｃと、第２背面電極１３３ｃとは、直流電源１３５を介して互いに接続されている。直流電源１３５は、第１背面電極１３２ｃに陽極の電圧を印加するとともに、第２背面電極１３３ｃに陰極の電圧を印加することが可能である。
【００４８】
直流電源１３５は、電圧の印加方向を反転可能に構成されている。これにより、直流電源１３５は、第１背面電極１３２ｃに陰極の電圧を印加するとともに、第２背面電極１３３ｃに陽極の電圧を印加することも可能である。
【００４９】
以下、本実施形態における三層式の電解水生成装置１３０による洗浄液の生成動作について説明する。
【００５０】
まず、直流電源１３５が、第１背面電極１３２ｃに陽極の電圧を印加するとともに、第２背面電極１３３ｃに陰極の電圧を印加した場合について説明する。
【００５１】
この場合、中央室１３１中の塩化物イオンは、第１イオン交換膜１３２ａを通過して、第１生成室１３２に移動する。塩化物イオンが第１背面電極１３２ｃの表面で酸化されることにより、塩素が生成される。塩素が第１生成室１３２中の原料水と反応することにより、次亜塩素酸が溶解した水溶液である酸性水が生成される。酸性水は、洗浄液として洗浄用配管１５０に流入する。
【００５２】
図１に示すように、本実施形態において、洗浄液は、洗浄用配管１５０から、第１配管１５１、第２配管１５２ａおよび第３配管１５２ｂの各々に流れる。第１配管１５１に流入した洗浄液は、第１流水路１１４、透析液調製装置１１１、透析液供給流路１１２、分岐流路１１２ｘ、透析装置１１０の透析液回路および排出流路１２０をこの順で流れる。
【００５３】
第２配管１５２ａに流入した洗浄液は、第２流水路１１６ａ、第１原液タンク１１３ａ、第１原液供給流路１１５ａ、透析液調製装置１１１、透析液供給流路１１２、分岐流路１１２ｘ、透析装置１１０の透析液回路および排出流路１２０をこの順で流れる。
【００５４】
第３配管１５２ｂに流入した洗浄液は、第３流水路１１６ｂ、第２原液タンク１１３ｂ、第２原液供給流路１１５ｂ、透析液調製装置１１１、透析液供給流路１１２、分岐流路１１２ｘ、透析装置１１０の透析液回路および排出流路１２０をこの順で流れる。
【００５５】
図２に示すように、中央室１３１中のナトリウムイオンは、第２イオン交換膜１３３ａを通過して、第２生成室１３３に移動する。第２背面電極１３３ｃの表面では、原料水中の水素イオンが還元されて水素が生成することにより、水酸化物イオンが生成される。これにより、水酸化物イオンを含む水溶液であるアルカリ性水が生成される。アルカリ性水は、中和用液として中和用配管１４０に流入する。
【００５６】
次に、直流電源の電圧印加方向を反転させた場合について説明する。この場合、直流電源１３５が、第１背面電極１３２ｃに陰極の電圧を印加するとともに、第２背面電極１３３ｃに陽極の電圧を印加する。
【００５７】
これにより、第１生成室１３２および第２生成室１３３の各々において生じる反応も互いに入れ替わる。すなわち、第１生成室１３２においてアルカリ性水が生成される。このアルカリ性水が、洗浄液として洗浄用配管１５０に流入する。第２生成室１３３においては酸性水が生成される。この酸性水が、中和用液として中和用配管１４０に流入する。
【００５８】
このようにして、電解水生成装置１３０は、酸性水およびアルカリ性水の各々を生成する。また、本実施形態に係る透析装置洗浄システム１００においては、直流電源１３５の電圧の印加方向を変更することにより、電解水生成装置１３０から、透析装置１１０の透析液回路および排出流路１２０の各々に、酸性水およびアルカリ性水が交互に洗浄液として流される。
【００５９】
なお、電解水生成装置１３０から、酸性水およびアルカリ性水を交互に流す方法は、直流電源１３５の電圧の印加方向を変更する方法に限定されない。電解水生成装置１３０に追加の配管および複数のバルブを設け、当該複数のバルブの各々の開閉を制御することにより、酸性水およびアルカリ性水を交互に洗浄液として流してもよい。
【００６０】
本実施形態に係る透析装置洗浄システム１００においては、後述する洗浄効果の観点から、電解水生成装置１３０から、透析装置１１０の透析液回路および排出流路１２０の各々に、少なくとも１回は、酸性水が流されたあと、アルカリ性水が流される。
【００６１】
本実施形態に係る透析装置洗浄システム１００においては、最後の洗浄液としてアルカリ性水を流すことが好ましい。これにより、酸性水が流れたあと、アルカリ性水が流れることで酸性水が排出流路１２０内に残留することを抑制でき、酸性水による透析液回路および排出流路１２０の各々の劣化を抑制することができる。
【００６２】
また、電解水生成装置１３０は上記のように動作するため、中央室１３１に充填された水溶液に含まれる塩化ナトリウムなどの電解質は、洗浄液に混入することがない。
【００６３】
本実施形態において、電解水生成装置１３０は、酸性水およびアルカリ性水の各々のｐＨ値を制御可能に構成されている。酸性水およびアルカリ性水の各々のｐＨ値は、たとえば、直流電源１３５による電流の密度、直流電源１３５の通電時間、循環流路１３４における塩化ナトリウム水溶液の流量、当該水溶液における塩化ナトリウムの溶解濃度を調節することによって制御することができる。本実施形態に係る透析装置洗浄システム１００においては、洗浄液として酸性水を流すときに、酸性水のｐＨ値が３．０以上３．７以下となるように制御される。
【００６４】
図１に示すように、中和用配管１４０は、電解水生成装置１３０に接続されている。中和用配管１４０は、上述したように、電解水生成装置１３０において生成された酸性水およびアルカリ性水のうち洗浄液ではない方の中和用液を排出する。
【００６５】
本実施形態に係る透析装置洗浄システムは、図１に示すように、中和槽１６０をさらに備えている。複数の排出流路１２０の各々の下流側は、中和槽１６０と互いに接続されている。中和用配管１４０の下流側は、中和槽１６０と互いに接続されている。
【００６６】
すなわち、中和槽１６０には洗浄液および中和用液の各々が流入する。このように、中和用配管１４０は、中和用配管１４０から排出された中和用液が、排出流路１２０から排出された洗浄液と合流するように構成されている。
【００６７】
洗浄液として酸性水を使用しているとき、中和用液はアルカリ性水である。また、洗浄液としてアルカリ性水を使用しているとき、中和用液は酸性水である。このため、中和槽１６０内においては、洗浄液が酸性水またはアルカリ性水のいずれであっても、中和用液によって中和される。洗浄液は、中和槽１６０で中和された後、中和槽１６０から排出される。
【００６８】
さらに、排液専用流路１１７の下流側も、中和槽１６０と互いに接続されている。透析液調製装置１１１内における透析液が排出される際には、透析液が、排液専用流路１１７を経由して、中和槽１６０に流入する。
【００６９】
なお、透析液調製装置１１１内における透析液を排出させたあと、透析液調製装置１１１を上記洗浄液で洗浄してもよい。この場合、排液専用流路１１７を経由して、洗浄に使用した洗浄液を中和槽１６０に流入させることで、洗浄液を排出する。
【００７０】
第１原液排液専用流路１１８ａの下流側も、中和槽１６０と互いに接続されている。第１原液タンク１１３ａ内における第１原液が排出される際には、第１原液が、第１原液排液専用流路１１８ａを経由して、中和槽１６０に流入する。
【００７１】
なお、第１原液タンク１１３ａ内における第１原液を排出させたあと、第１原液タンク１１３ａを上記洗浄液で洗浄してもよい。この場合、第１原液排液専用流路１１８ａを経由して、洗浄に使用した洗浄液を中和槽１６０に流入させることで、洗浄液を排出する。
【００７２】
第２原液排液専用流路１１８ｂの下流側も、中和槽１６０と互いに接続されている。第２原液タンク１１３ｂ内における第２原液が排出される際には、第２原液が、第２原液排液専用流路１１８ｂを経由して、中和槽１６０に流入する。
【００７３】
なお、第２原液タンク１１３ｂ内における第２原液を排出させたあと、第２原液タンク１１３ｂを上記洗浄液で洗浄してもよい。この場合、第２原液排液専用流路１１８ｂを経由して、洗浄に使用した洗浄液を中和槽１６０に流入させることで、洗浄液を排出する。
【００７４】
(実験例１)
ここで、酸性水およびアルカリ性水を交互に流すことによる洗浄効果を確認した、実験例について説明する。
【００７５】
実験例１においては、１回目の洗浄工程において酸性水が流れ、２回目の洗浄工程においてアルカリ性水が流れ、３回目の洗浄工程において酸性水が流れ、４回目の洗浄工程においてアルカリ性水が流れたときの洗浄効果を確認した。
【００７６】
図３は、実験例１において、洗浄液が流れる前のシリコーンチューブの状態を示した写真である。図４は、実験例１において、図３に示したシリコーンチューブに酸性水が流れたあとのシリコーンチューブの状態を示した写真である。図５は、実験例１において、図４に示した透析液チューブにアルカリ性水が流れたあとのシリコーンチューブの状態を示した写真である。図６は、実験例１において、図５に示したシリコーンチューブに酸性水が流れたあとのシリコーンチューブの状態を示した写真である。図７は、実験例１において、図６に示した透析液チューブにアルカリ性水が流れたあとのシリコーンチューブの状態を示した写真である。
【００７７】
図３に示すように、実験例１においては、蛋白および炭酸カルシウムなどの付着物２が内面に付着したシリコーンチューブ１を用意した。付着物２については、透析装置にて使用後の透析液を新品のシリコーンチューブに流すことにより付着させた。
【００７８】
次に、図３のシリコーンチューブ１を三槽式の電解水生成装置に接続し、１回目の洗浄工程として、シリコーンチューブ１に、ｐＨ値が３．０、濃度が５０ｐｐｍの酸性水を通流させた。酸性水の流量は０．５Ｌ／ｍｉｎ、通流時間は２．５時間とした。
【００７９】
図４に示すように、酸性水のみをシリコーンチューブ１に通流させた段階では、シリコーンチューブ１内の付着物２の付着量の低減は、目視で確認できなかった。
【００８０】
次に、２回目の洗浄工程として、図４のシリコーンチューブ１に、ｐＨ値が１１．０、濃度が５０ｐｐｍのアルカリ性水を通流させた。アルカリ性水の流量は０．５Ｌ／ｍｉｎ、通流時間は２時間とした。
【００８１】
図５に示すように、酸性水を通流させたあと、さらにアルカリ性水をシリコーンチューブに通流させたことで、シリコーンチューブ１内の付着物２の付着量が十分に低減されたことを目視で確認できた。
【００８２】
次に、３回目の洗浄工程として、通流時間を２時間としたこと以外は、実験例１の１回目の洗浄工程の条件と同様にして、酸性水をシリコーンチューブ１に通流させた。図６に示すように、シリコーンチューブ１内において新たな付着物は発生しなかった。
【００８３】
次に、４回目の洗浄工程として、実験例１の２回目の洗浄工程の条件と同様にしてアルカリ性水をシリコーンチューブ１に通流させた。図７に示すように、シリコーンチューブ１内において新たな付着物は発生しなかった。
【００８４】
(実験例２)
次に、実験例２について説明する。実験例２においては、１回目の洗浄工程においてアルカリ性水が流れ、２回目の洗浄工程において酸性水が流れ、３回目の洗浄工程においてアルカリ性水が流れ、４回目の洗浄工程において酸性水が流れたときの洗浄効果を確認した。
【００８５】
図８は、実験例２において、洗浄液が流れる前のシリコーンチューブの状態を示した写真である。図９は、実験例２において、図８に示したシリコーンチューブにアルカリ性水が流れたあとのシリコーンチューブの状態を示した写真である。図１０は、実験例２において、図９に示した透析液チューブに酸性水が流れたあとのシリコーンチューブの状態を示した写真である。図１１は、実験例２において、図１０に示したシリコーンチューブにアルカリ性水が流れたあとのシリコーンチューブの状態を示した写真である。図１２は、実験例２において、図１１に示した透析液チューブに酸性水が流れたあとのシリコーンチューブの状態を示した写真である。
【００８６】
図８に示すように、実験例２においては、蛋白および炭酸カルシウムなどの付着物２が内面に付着したシリコーンチューブ１を用意した。付着物２については、透析装置にて使用後の透析液を新品のシリコーンチューブに流すことにより付着させた。
【００８７】
次に、図８のシリコーンチューブ１を三槽式の電解水生成装置に接続し、１回目の洗浄工程として、シリコーンチューブ１に、ｐＨ値が１１．０、濃度が５０ｐｐｍのアルカリ性水を通流させた。アルカリ性水の流量は０．５Ｌ／ｍｉｎ、通流時間は２．５時間とした。
【００８８】
図９に示すように、アルカリ性水のみをシリコーンチューブ１に通流させた段階で、シリコーンチューブ１内の付着物２の付着量が、わずかに低減されたことを目視で確認できた。
【００８９】
次に、２回目の洗浄工程として、図４のシリコーンチューブ１に、ｐＨ値が３．０、濃度が５０ｐｐｍの酸性水を通流させた。酸性水の流量は０．５Ｌ／ｍｉｎ、通流時間は２時間とした。
【００９０】
図１０に示すように、アルカリ性水を通流させたあと、さらに酸性水をシリコーンチューブ１に通流させると、シリコーンチューブ１内の付着物２に含まれる蛋白が凝集したことが目視で確認できた。
【００９１】
次に、３回目の洗浄工程として、通流時間を２時間としたこと以外は、実験例２の１回目の洗浄工程の条件と同様にして、アルカリ性水をシリコーンチューブ１に通流させた。図１１に示すように、シリコーンチューブ１内の付着物２の付着量が十分に低減されたことを目視で確認できた。
【００９２】
次に、４回目の洗浄工程として、実験例２の２回目の洗浄工程の条件と同様にして酸性水をシリコーンチューブ１に通流させた。図１２に示すように、シリコーンチューブ１内において新たな付着物は発生しなかった。
【００９３】
このように、本実験例においては、酸性水およびアルカリ性水が交互に流されることにより、シリコーンチューブ１内の付着物が十分に低減されることが確認できた。特に、酸性水が流されたあと、アルカリ性水が流されることにより、シリコーンチューブ１内の付着物が効果的に低減されることが確認できた。
【００９４】
上記のように、本発明の一実施形態に係る透析装置洗浄システム１００においては、電解水生成装置１３０から、透析装置１１０の透析液回路および排出流路１２０の各々に、酸性水およびアルカリ性水が交互に流される。電解水生成装置１３０は、三槽式である。これにより、透析装置１１０の透析液回路および排出流路１２０の各々を洗浄することができるとともに、洗浄液に塩化ナトリウムなどの電解質が含まれないため、洗浄液による配管の腐食を抑制できる。
【００９５】
本発明の一実施形態に係る透析装置洗浄システム１００においては、酸性水のｐＨ値が３．０以上３．７以下である。酸性水のｐＨ値が３．０未満である場合、酸性水に溶解している次亜塩素酸が分解して塩素ガスが発生する可能性がある。酸性水のｐＨ値が３．０以上３．７以下であることにより、酸性水による洗浄効果を高く維持しつつ、塩素ガスの発生を抑制することができる。
【００９６】
本発明の一実施形態に係る透析装置洗浄システム１００においては、電解水生成装置１３０から、透析装置１１０の透析液回路および排出流路１２０の各々に、少なくとも１回は、酸性水が流されたあと、アルカリ性水が流される。これにより、電解水生成装置１３０により生成された洗浄液を用いて、透析装置１１０の透析液回路および排出流路１２０の各々を効果的に洗浄することができる。
【００９７】
本発明の一実施形態に係る透析装置洗浄システム１００は、中和用配管１４０から排出された中和用液が、排出流路１２０から排出された洗浄液と合流するように構成されている。これにより、洗浄液を中和させるための中和剤が不要となり、中和剤を貯めるためのタンクを不要にできるため、透析装置洗浄システム１００を省スペース化することができる。
【００９８】
なお、今回開示した上記実施形態はすべての点で例示であって、限定的な解釈の根拠となるものではない。したがって、本発明の技術的範囲は、上記した実施形態のみによって解釈されるものではなく、請求の範囲の記載に基づいて画定される。また、請求の範囲と均等の意味および範囲内でのすべての変更が含まれる。
【符号の説明】
【００９９】
１  シリコーンチューブ、２  付着物、７  特開平、１００  透析装置洗浄システム、１１０  透析装置、１１１  透析液調製装置、１１２  透析液供給流路、１１２ｘ  分岐流路、１１３ａ  第１原液タンク、１１３ｂ  第２原液タンク、１１４  第１流水路、１１５ａ  第１原液供給流路、１１５ｂ  第２原液供給流路、１１６ａ  第２流水路、１１６ｂ  第３流水路、１１７  排液専用流路、１１８ａ  第１原液排液専用流路、１１８ｂ  第２原液排液専用流路、１２０  排出流路、１３０  電解水生成装置、１３１  中央室、１３２  第１生成室、１３２ａ  第１イオン交換膜、１３２ｂ  第１絶縁部、１３２ｃ  第１背面電極、１３３  第２生成室、１３３ａ  第２イオン交換膜、１３３ｂ  第２絶縁部、１３３ｃ  第２背面電極、１３４  循環流路、１３５  直流電源、１４０  中和用配管、１５０  洗浄用配管、１５１  第１配管、１５２ａ  第２配管、１５２ｂ  第３配管、１６０  中和槽。
【図１】
2020145379.tif 000003
【図２】
2020145379.tif 000004
【図３】
2020145379.tif 000005
【図４】
2020145379.tif 000006
【図５】
2020145379.tif 000007
【図６】
2020145379.tif 000008
【図７】
2020145379.tif 000009
【図８】
2020145379.tif 000010
【図９】
2020145379.tif 000011
【図１０】
2020145379.tif 000012
【図１１】
2020145379.tif 000013
【図１２】
2020145379.tif 000014
【国際調査報告】
2020145379.tif 000015
2020145379.tif 000016
2020145379.tif 000017
2020145379.tif 000018
2020145379.tif 000019